(57)【要約】【課題】電磁クラッチ等の部品を用いることなく簡単な駆動伝達機構で装置本体内及び反転搬送部内の駆動源により用紙の排紙及び反転搬送を行うことができるとともに反転搬送動作を行わないときは反転搬送部内の駆動源の駆動伝達を切断する画像形成装置及びそれに装着可能な反転搬送ユニットを提供することを目的とするものである。【解決手段】第二モータ５５の駆動ギア５６と噛合する太陽ギア６１を回転することで遊星ギア６２及び６３が公転して、排紙ローラ３０に駆動伝達するアイドラギア５７とフィードローラ４３に駆動伝達する段付きギア７６との接続及び切断動作を行うことで、反転搬送するときのみ排紙ローラ３０及びフィードローラ４３に駆動伝達するようにしている。【選択図】        図２
2004269172.tif 000002
【特許請求の範囲】
【請求項１】
給紙部から搬入された用紙を記録部に搬送して排紙トレイに搬出する用紙搬送部と、前記用紙搬送部の搬送経路において前記記録部の下流側から搬入された用紙を前記記録部の上流側に搬出する反転搬送部と、前記用紙搬送部の排紙ローラに前記反転搬送部の駆動源の駆動力を伝達する駆動伝達手段とを備えた画像形成装置であって、前記駆動伝達手段は、前記駆動源の回転駆動動作に機械的に連動して作動するクラッチ手段を有していることを特徴とする画像形成装置。
【請求項２】
前記駆動伝達手段は、前記駆動源の一方方向の回転駆動動作に連動して前記クラッチ手段が接続されることで前記駆動源の駆動力を前記排紙ローラに伝達するとともに前記駆動源の他方方向の回転駆動動作に連動して前記クラッチ手段が切断されることで前記排紙ローラへの駆動伝達を遮断することを特徴とする請求項１に記載の画像形成装置。
【請求項３】
前記排紙ローラは、前記用紙搬送部の駆動源により駆動されて用紙の排紙動作を行うことを特徴とする請求項１又は２に記載の画像形成装置。
【請求項４】
給紙部から搬入された用紙を記録部に搬送して排紙トレイに搬出する用紙搬送部と、前記用紙搬送部の搬送経路において前記記録部の下流側から搬入された用紙を前記記録部の上流側に搬出する反転搬送部と、前記反転搬送部の搬送ローラに前記反転搬送部の駆動源の駆動力を伝達する駆動伝達手段とを備えた画像形成装置であって、前記駆動伝達手段は、前記駆動源の回転駆動動作に連動して作動するクラッチ手段を有していることを特徴とする画像形成装置。
【請求項５】
前記駆動伝達手段は、前記駆動源の一方方向の回転駆動動作に連動して前記クラッチ手段が接続されることで前記駆動源の駆動力を前記搬送ローラに伝達するとともに前記駆動源の他方方向の回転駆動動作に連動して前記クラッチ手段が切断されることで前記搬送ローラへの駆動伝達を遮断することを特徴とする請求項４に記載の画像形成装置。
【請求項６】
前記クラッチ手段は、遊星ギアと、前記駆動源の回転駆動方向に連動して前記遊星ギアを駆動伝達位置と駆動切断位置とに選択的に位置決めする位置決め手段とを有することを特徴とする請求項１から５のいずれかに記載の画像形成装置。
【請求項７】
請求項１から６のいずれかに記載の画像形成装置における反転搬送部を着脱自在に構成したことを特徴とする反転搬送ユニット。
【請求項８】
前記クラッチ手段が配設されていることを特徴とする請求項７に記載の反転搬送ユニット。
【発明の詳細な説明】
【０００１】
【発明の属する技術分野】
本発明は、複写機、ファクシミリ装置などの画像形成装置において、用紙の両面に画像形成を行うために用いられる反転搬送部を備えた画像形成装置及びその反転搬送部を着脱自在に構成した反転搬送ユニットに関する。
【０００２】
【従来の技術】
画像形成装置において、装置本体内に駆動源としてモータを設け、画像形成を行う感光体ドラム等を備える記録部、搬送ローラ等を備える用紙搬送部を駆動するようにしている。こうした画像形成装置において、用紙の両面に画像形成する場合に、用紙の一方の面に画像形成した後用紙を反転させるために排紙ローラを逆回転して反転搬送路に用紙を搬入することが行われている。ところが、画像形成動作中に、感光体ドラムを逆回転又は停止させることはできないので、ドラムを駆動するモータのみで排紙ローラを正逆回転することはできない。
【０００３】
こうした課題の解決方法として、例えば、特許文献１では、画像形成装置本体内及び両面搬送ユニット内にそれぞれモータを設け、用紙を排紙方向に搬送するときには装置本体内のモータで排紙ローラを正方向（用紙排紙方向に）に回転駆動し、用紙を反転方向に搬送するときにはユニット内のモータで排紙ローラを逆転方向（反転搬送方向に）に回転駆動する点が記載されている。また、特許文献２では、両面ユニットを装着していない場合には、装置本体内のメインモータで排紙ローラを回転駆動し、両面ユニット装着時には、ユニット内のモータにより排紙ローラを正逆回転駆動して用紙の排出及びユニット内への用紙の搬入を行うようにした点が記載されている。
【０００４】
【特許文献１】
特開２００２−１５４７２７号公報
【特許文献２】
特開平９−１３６７７２号公報
【０００５】
【発明が解決しようとする課題】
特許文献１では、画像形成装置本体内及び両面搬送ユニット内の２つのモータの駆動力のいずれかを排紙ローラに駆動伝達するために、電磁クラッチ、スプリングクラッチ及び回転遅れ装置といった複雑な駆動伝達機構を用いているため、駆動伝達に用いる部品の数が増えて経路も長くなるため負荷が大きくなってしまい、また電磁クラッチ等の高価な部品をもちいているためコストも増加してしまう。
【０００６】
また、反転搬送路から装置本体内に用紙が搬入されてレジストローラに用紙先端が当接した状態では、ユニット内の搬送ローラに用紙の後端部が挟持されているため、そのままユニット内のモータを停止して装置本体のモータを駆動すると、用紙が引張られて搬送ローラに負荷がかかるようになる。したがって、搬送ローラを自由回転させるためのクラッチ等がさらに必要にならざるを得ない。
【０００７】
特許文献２では、ユニット装着時にはユニット内のモータで排紙ローラを駆動するため、ユニット内のモータに負荷がかかる。
【０００８】
そこで、本発明は、電磁クラッチ等の部品を用いることなく簡単な駆動伝達機構で装置本体内及び反転搬送部内の駆動源により用紙の排紙及び反転搬送を行うことができるとともに反転搬送動作を行わないときは反転搬送部内の駆動源の駆動伝達を切断する画像形成装置及びそれに装着可能な反転搬送ユニットを提供することを目的とするものである。
【０００９】
【課題を解決するための手段】
本発明に係る画像形成装置は、給紙部から搬入された用紙を記録部に搬送して排紙トレイに搬出する用紙搬送部と、前記用紙搬送部の搬送経路において前記記録部の下流側から搬入された用紙を前記記録部の上流側に搬出する反転搬送部と、前記用紙搬送部の排紙ローラに前記反転搬送部の駆動源の駆動力を伝達する駆動伝達手段とを備えた画像形成装置であって、前記駆動伝達手段は、前記駆動源の回転駆動動作に機械的に連動して作動するクラッチ手段を有していることを特徴とする。さらに、前記駆動伝達手段は、前記駆動源の一方方向の回転駆動動作に連動して前記クラッチ手段が接続されることで前記駆動源の駆動力を前記排紙ローラに伝達するとともに前記駆動源の他方方向の回転駆動動作に連動して前記クラッチ手段が切断されることで前記排紙ローラへの駆動伝達を遮断することを特徴とする。さらに、前記排紙ローラは、前記用紙搬送部の駆動源により駆動されて用紙の排紙動作を行うことを特徴とする。
【００１０】
また、本発明に係る別の画像形成装置は、給紙部から搬入された用紙を記録部に搬送して排紙トレイに搬出する用紙搬送部と、前記用紙搬送部の搬送経路において前記記録部の下流側から搬入された用紙を前記記録部の上流側に搬出する反転搬送部と、前記反転搬送部の搬送ローラに前記反転搬送部の駆動源の駆動力を伝達する駆動伝達手段とを備えた画像形成装置であって、前記駆動伝達手段は、前記駆動源の回転駆動動作に連動して作動するクラッチ手段を有していることを特徴とする。さらに、前記駆動伝達手段は、前記駆動源の一方方向の回転駆動動作に連動して前記クラッチ手段が接続されることで前記駆動源の駆動力を前記搬送ローラに伝達するとともに前記駆動源の他方方向の回転駆動動作に連動して前記クラッチ手段が切断されることで前記搬送ローラへの駆動伝達を遮断することを特徴とする。
【００１１】
そして、上記の画像形成装置における前記クラッチ手段は、遊星ギアと、前記駆動源の回転駆動方向に連動して前記遊星ギアを駆動伝達位置と駆動切断位置とに選択的に位置決めする位置決め手段とを有することを特徴とする。
【００１２】
また、本発明に係る反転搬送ユニットは、上記の画像形成装置における反転搬送部を着脱自在に構成したことを特徴とする。さらに、前記クラッチ手段が配設されていることを特徴とする。
【００１３】
上記のような構成を有することで、反転搬送部の駆動源の排紙ローラへの駆動伝達は、駆動源の回転駆動動作に機械的に連動して作動するクラッチ手段によって接続及び切断されるため、電磁クラッチ等を用いることなく、回転駆動動作だけで駆動伝達を制御できる。すなわち、一方方向への回転駆動動作によりクラッチ手段が接続されると、排紙ローラに反転搬送部の駆動力が伝達されて排紙ローラは用紙を反転搬送部に搬入するように動作するので、電磁クラッチのように別途電気制御する必要はなく、簡単にクラッチ手段の接続が行える。そして、反転搬送動作を停止する場合には、回転駆動動作によりクラッチ手段を切断状態にしておけば、排紙ローラとの駆動伝達経路が遮断されるので、排紙ローラの駆動制御に反転搬送部の駆動源が影響を及ぼすことはなく、切断状態を保持するための手段を別途設ける必要もない。
【００１４】
同様に、反転搬送部の搬送ローラへの駆動伝達も駆動源の回転駆動動作に連動して作動するクラッチ手段によって接続及び切断されることで、電磁クラッチ等を別途設けることなく、簡単にクラッチ手段の接続及び切断が行える。そして、反転搬送動作の停止とともにクラッチ手段が切断されるので、搬送ローラに用紙の後端部が挟持された状態で用紙搬送部の搬送ローラが駆動されても、反転搬送部の搬送ローラは自由回転し負荷がかかることはない。
【００１５】
クラッチ手段が、遊星ギアと駆動源の回転駆動方向に連動して前記遊星ギアを駆動伝達位置と駆動切断位置とに選択的に位置決めする位置決め手段とを備えることで、簡単な機構でクラッチ接続及び切断が確実に行えるようになる。
【００１６】
また、反転搬送ユニットが、上述の画像形成装置における反転搬送部を着脱自在に構成することで両面に画像形成が必要な場合に画像形成装置を簡単に構成変更でき、また、クラッチ手段を反転搬送ユニットに配設することで、装置本体内に必要最小限の駆動伝達機構のみを備えておけばよくなり、装置のコンパクト化を図ることが可能となる。
【００１７】
【発明の実施の形態】
以下、本発明に係る実施形態について詳しく説明する。図１は、本発明に係る画像形成装置全体の概略断面図である。画像形成装置１の上部には原稿読取部２が配置され、その下部には、底面から給紙部３、記録部４が配されている。
【００１８】
原稿読取部２では、原稿カバー１０設けられた原稿トレイ１１に載置された原稿が原稿搬送装置１２により図示しない読取手段に対向する位置に搬送されて原稿読取動作が行われ、原稿排紙トレイ１３に排出される。書籍等を読み取る場合には、原稿カバー１０を上方に回動してフラットベッドプラテン１４に書籍等の被読取部分を配置し読取手段により読取動作が行われる。以上の構成は、いわゆるＡＤＦ及びフラットベッドタイプと称される従来の原稿読取装置と同様のものである。
【００１９】
給紙部３では、給紙カセット１５が配置されており、フラッパ１６に所定のサイズの用紙が複数枚積載されている。給紙カセット１５の端部（図１において右端部）には、ピックアップローラ１７が配置されている。そして、フラッパ１６は、積載された用紙の上面がピックアップローラ１７に圧接するように上方に付勢されている。この状態でピックアップローラ１７が回転駆動すると、摩擦力により用紙が１枚ずつ用紙搬送路に給紙されるようになる。
【００２０】
給紙された用紙は、まずフィードローラ１８及びプレスローラ１９により記録部４に搬送される。記録部４では、搬送された用紙に記録するために、トナー容器２０、メモリ除去ブラシ２１、コロナ帯電器２２、感光体ドラム２３、転写用のコロトロンワイヤ２４、露光ヘッド２５及び定着ローラ２６が備えられている。まず、感光体ドラム２３の表面をメモリ除去ブラシ２１及び帯電ブラシ２２を用いて一様に帯電させ、帯電された感光体ドラム２３に露光ヘッド２５で画像記録信号に応じて露光することで静電潜像を形成する。次に、トナー容器２０内のトナーを供給ローラ２７から現像ローラ２８を介して感光体ドラム２３に形成された静電潜像に転移させて可視像化し、コロトロンワイヤ２４により感光体ドラム２３表面に形成されたトナー像を用紙に転写する。そして、転写されたトナー像は、定着ローラ２６及びプレスローラ２９によって挟持されて加熱・プレスされ用紙に定着される。定着された用紙は、排紙ローラ３０及びプレスローラ３１の間に挟持されて用紙排出トレイ３２に搬出される。
【００２１】
図１において、給紙部３から用紙排出トレイ３２までを一点鎖線で示したのが、用紙搬送路である。そして、用紙搬送路に沿って配設された搬送ローラ及び用紙ガイドが用紙搬送部を構成している。
【００２２】
また、装置本体の側面には、反転搬送ユニット４０が着脱自在に装着されており、その装着側面には、用紙搬出口４１及び用紙搬入口４２が形成されている。搬送ユニット４０内には、フィードローラ４３及びプレスローラ４４、フィードローラ４５及びプレスローラ４６の２対の搬送ローラが上下に配設されている。そして、図１の二点鎖線で示すように反転搬送路が、排紙ローラ３０と定着ローラ２６との間の用紙搬送路から分岐して、２対の搬送ローラ４３及び４４、４５及び４６の間を通り、ローラ対１８及び１９とピックアップローラ１７との間の用紙搬送路に合流するように形成される。そして、反転搬送路に沿って配設された搬送ローラ及び用紙ガイドが反転搬送部を構成している。
【００２３】
用紙搬送路には、排紙ローラ３０と記録部４の定着ローラ２６との間に用紙検知センサ３３が配置されており、ローラ対１８及び１９とピックアップローラ１７との間にも用紙検知センサ３４が配置されている。
【００２４】
図２は、排紙ローラ３０の駆動機構に関する概略図である。装置本体側には、第一モータ５０が設けられており、第一モータ５０により感光体ドラム２３、定着ローラ２６及びフィードローラ等が回転駆動される。定着ローラ２６の回転軸には、駆動ギア５１が取り付けられており、第一モータ５０から図示しない駆動伝達機構により駆動ギア５１が回転して定着ローラ２６が駆動される。排紙ローラ３０の回転軸には、駆動ギア５２が電磁クラッチを介して取付けられており、駆動ギア５２及び駆動ギア５１はアイドラギア５３と噛合している。
【００２５】
一方反転搬送ユニット４０側には、第二モータ５５を固定した取付基板５４が配設されている。取付基板５４には、アイドラギア５７、駆動ギア５６と噛合する遊星ギア機構５８、アイドラギア５７に噛合するアイドラギア５９が取付けられており、反転搬送ユニット４０が装置本体に装着されると、アイドラギア５９は、装置本体側のアイドラギア６０に噛合するようにされている。
【００２６】
遊星ギア機構５８は、駆動ギア５６に噛合する太陽ギア６１、太陽ギア６１に噛合する２つの遊星ギア６２及び６３を有している。図３は、図２の遊星ギア機構５８のＡ−Ａ断面図を示している。図３に示すように、太陽ギア６１は、取付基板５４に固定された回転軸６４に回動自在に装着されており、その周面には上下２段の歯面６５及び６６が形成されている。上の歯面６５は駆動ギア５６と噛合しており、下の歯面６６は２つの遊星ギア６２及び６３が噛合している。
【００２７】
回転軸６４には、アーム部材６７が回転自在に装着されており、アーム部材６７に固定された回転軸６８及び６９に２つの遊星ギア６２及び６３が回動自在に取り付けられている。そして、回転軸６８には圧縮バネ７０が遊星ギア６２とアーム部材６７との間に挿着されており、遊星ギア６２は圧縮バネ７０によって付勢されて回転軸６８に固定された係止リング７１で係止されている。同様に、回転軸６９には圧縮バネ７２が遊星ギア６３とアーム部材６７との間に挿着されており、遊星ギア６３は圧縮バネ７２によって付勢されて回転軸６８に固定された係止リング７３で係止されている。遊星ギア６２及び６３は、圧縮バネ７０及び７２により付勢されているので、遊星ギア６２及び６３に作用する負荷トルクが圧縮バネ７０及び７２によって与えられる負荷トルク未満のときは、自転することなく太陽ギア６１の歯面６６と噛合した状態に保たれ、太陽ギア６１が回転すると公転するようになる。そして、遊星ギア６２及び６３が公転してアーム部材６７が所定角度回動すると、取付基板５４に突設された制止ピン７４及び７５によりアーム部材６７の回動が制止される。
【００２８】
フィードローラ４３及び４５の回転軸にはそれぞれプーリー部分が形成された段付きギア７６及び７７が取り付けられており、段付きギア７６及び７７のプーリー部分には無端ベルト７８が張架されている。
【００２９】
第二モータ５５が図２において反時計回りに回転駆動すると、太陽ギア６１が自軸を中心として時計回りに回動して遊星ギア６２及び６３は、太陽ギア６１の軸を中心として時計回りに回転する。そして、アーム部材６７も時計回りに回動して制止ピン７４に当接して図２に示すような位置に停止する。この状態で第二モータ５５の回転駆動が停止しても、遊星ギア６２及び６３は圧縮バネ７０及び７２により自転することなく、その状態に保たれる。図２に示すように、この状態では、遊星ギア６２は、アイドラギア５７とは離間した位置にあり、遊星ギア６３も段付きギア７６とは離間した位置にあるため、いずれのギア５７及び７６にも第二モータ５５の駆動力は伝達されない。
【００３０】
図４は、遊星ギア機構５８を図２の上方から見た概略図を示している。図４からわかるように、駆動ギア５６と太陽ギア６１が噛合しているが、遊星ギア６２は、アイドルギア５７とは離間した位置にある。
【００３１】
図２の状態において第二モータ５５が時計回りに回転駆動すると、太陽ギア６１は反時計回りに回転して遊星ギア６２及び６３は反時計回りに公転する。そして、アーム部材６７も反時計回りに回転して制止ピン７５に当接して図５に示すような位置に停止する。この状態では、遊星ギア６２は、アイドラギア５７とは噛合した位置にあり、遊星ギア６３も段付きギア７６と噛合した位置にあるため、いずれのギアも第二モータ５５の駆動力が駆動ギア５６から太陽ギア６１を介して伝達されるようになる。
【００３２】
図６は、遊星ギア機構５８を図５の上方から見た概略図を示している。図６からわかるように、駆動ギア５６と太陽ギア６１とが噛合し、遊星ギア６２とアイドルギア５７とも噛合している。
【００３３】
用紙の反転搬送制御を行う場合には、片面に画像形成した用紙の先端を排紙ローラ３０及びプレスローラ３１で挟持した後第一モータ５０により排紙ローラ３０を反時計回りに回転させて排出トレイ３２に排出動作し、用紙検知センサ３３が用紙の後端を検知して一定時間後に電磁クラッチをオフにして、第一モータ５０から排紙ローラ３０への駆動力の伝達を遮断する。この間第二モータ５５は駆動を停止しており、遊星ギア機構５８は、図２に示す位置になっているため、遊星ギア６２は、アイドラギア５７とは離間した位置にあり、遊星ギア６３も段付きギア７６とは離間した位置にあるため、第一モータ５０の駆動力が伝達されることはない。この時点で用紙の後端部は排紙ローラ３０及びプレスローラ３１に挟持された状態となっている。
【００３４】
その後、第二モータ５５を駆動開始し、駆動ギア５６を図４において時計回りに回転駆動すると、図５に示すように遊星ギア６２及び６３が反時計回りに公転して、遊星ギア６２とアイドラギア５７とが噛合し、遊星ギア６３と段付きギア７６とが噛合する。そのため、第二モータ５５の駆動力がアイドラギア５７からアイドラギア５９及び６０を介して排紙ローラ３０の駆動ギア５２に伝達されて、図５の矢印で示すように排紙ローラ３０は時計回りに回転するようになる。したがって、排紙ローラ３０及びプレスローラ３１で挟持された用紙は、反転搬送ユニット４０の方へ搬送されるようになる。
【００３５】
一方、遊星ギア６３と段付きギア７６とが噛合することで、段付きギア７６が回転するとともに無端ベルト７８を介して段付きギア７７も同期して回転する。したがって、フィードローラ４３及び４５が回転して排紙ローラ３０により搬入された用紙を反転搬送路内に搬送し、用紙は用紙搬入口４２から装置本体内に搬入される。そして用紙検知センサ３４が用紙の先端を検知して一定時間後に、第二モータ５５は駆動を一旦停止し、用紙の先端はフィードローラ１８に突き当てられた状態とされる。
【００３６】
そして、第二モータ５５は反時計回りに回転して太陽ギア６１を時計回りに回転させて遊星ギア６２及び６３を時計回りに公転させる。アーム部材６７は制止ピン７４に当接した状態となり、遊星ギア６２とアイドラギア５７とは離間し、遊星ギア６３と段付きギア７６とは離間して第二モータ５５は駆動を停止する。その後電磁クラッチをオンにして第一モータ５０から排紙ローラ３０に駆動力を伝達し、用紙は、フィードローラ１８から用紙搬送路を搬送されて、残りの面が記録部４により画像形成されて両面の画像形成制御が行われる。その際、遊星ギア６３と段付きギア７６とは離間しているため、フィードローラ４３及び４５は自由に回転する状態となっており、フィードローラ４５とプレスローラ４６との間に用紙が挟持された状態で第二モータ５５が駆動停止して第一モータ５０が駆動開始しても用紙はスムーズに搬送されていき、フィードローラ４５に負荷がかかることはない。
【００３７】
【発明の効果】
以上に説明したとおり、本発明では、反転搬送部の駆動源の排紙ローラへの駆動伝達は、駆動源の回転駆動動作に機械的に連動して作動するクラッチ手段によって接続及び切断されるため、電磁クラッチ等を用いることなく、回転駆動動作だけで駆動伝達を制御できる。すなわち、一方方向への回転駆動動作によりクラッチ手段が接続されると、排紙ローラに反転搬送部の駆動力が伝達されて排紙ローラは用紙を反転搬送部に搬入するように動作するので、電磁クラッチのように別途電気制御する必要はなく、簡単にクラッチ手段の接続が行える。そして、反転搬送動作を停止する場合には、回転駆動動作によりクラッチ手段を切断状態にしておけば、排紙ローラとの駆動伝達経路が遮断されるので、排紙ローラの駆動制御に反転搬送部の駆動源が影響を及ぼすことはなく、切断状態を保持するための手段を別途設ける必要もない。
【００３８】
同様に、反転搬送部の搬送ローラへの駆動伝達も駆動源の回転駆動動作に連動して作動するクラッチ手段によって接続及び切断されることで、電磁クラッチ等を別途設けることなく、簡単にクラッチ手段の接続及び切断が行える。そして、反転搬送動作の停止とともにクラッチ手段が切断されるので、搬送ローラに用紙の後端部が挟持された状態で用紙搬送部の搬送ローラが駆動されても、反転搬送部の搬送ローラは自由回転し負荷がかかることはない。
【００３９】
クラッチ手段が、遊星ギアと駆動源の回転駆動方向に連動して前記遊星ギアを駆動伝達位置と駆動切断位置とに選択的に位置決めする位置決め手段とを備えることで、簡単な機構でクラッチ接続及び切断が確実に行えるようになる。
【００４０】
また、反転搬送ユニットが、上述の画像形成装置における反転搬送部を着脱自在に構成することで両面に画像形成が必要な場合に画像形成装置を簡単に構成変更でき、また、クラッチ手段を反転搬送ユニットに配設することで、装置本体内に必要最小限の駆動伝達機構のみを備えておけばよくなり、装置のコンパクト化を図ることが可能となる。
【図面の簡単な説明】
【図１】本発明に係る実施形態に関する画像形成装置全体の概略断面図である。
【図２】反転搬送を行う駆動伝達機構を説明する概略図である。
【図３】遊星ギア機構を説明する概略図である。
【図４】遊星ギア機構の動作を説明する概略図である。
【図５】反転搬送を行う駆動伝達機構を説明する概略図である。
【図６】遊星ギア機構の動作を説明する概略図である。
【符号の説明】
１    画像形成装置
２    原稿読取部
３    給紙部
４    記録送部
３０    排紙ローラ
３１    プレスローラ
３３    用紙検知センサ
３４    用紙検知センサ
４０    反転搬送ユニット
４１    用紙搬入口
４２    用紙搬出口
４３    フィードローラ
４４    プレスローラ
４５    フィードローラ
４６    プレスローラ
５０    第一モータ
５５    第二モータ
５６    駆動ギア
５８    遊星ギア機構
６１    太陽ギア
６２    遊星ギア
６３    遊星ギア
６７    アーム部材
【図１】
2004269172.tif 000003
【図２】
2004269172.tif 000004
【図３】
2004269172.tif 000005
【図４】
2004269172.tif 000006
【図５】
2004269172.tif 000007
【図６】
2004269172.tif 000008